(57)【要約】      （修正有）【課題】試料または試薬を処理するための機器の設定を保存および／または復元する。【解決手段】記憶媒体１１０がスクリプト１１２を備え、スクリプト１１２が機器１０２の設定を復元するための復元データを備え、スクリプト１１２が暗号化／デジタル署名される、記憶媒体１１０を提供するステップと、機器１０２が記憶媒体１１０を受容するステップと、スクリプト１１２の同一性および／または完全性を検証するステップと、スクリプト１１２の同一性および／または完全性が機器１０２の同一性および／または完全性に対応する場合、オペレーティングシステム１０８によって、スクリプト１１２を実行するステップと、を含む。【選択図】図１
2017111146.tif 000002
【特許請求の範囲】
【請求項１】
試料（１０４）または試薬を処理するための機器（１０２）の設定を復元するための方法であって、前記機器（１０２）が、制御ユニット（１０６）およびオペレーティングシステム（１０８）を備え、前記方法が、
記憶媒体（１１０）を提供するステップであって、前記記憶媒体（１１０）が、スクリプト（１１２）、および前記機器（１０２）の設定を復元するための復元データを備え、前記スクリプト（１１２）が、暗号化／デジタル署名される、記憶媒体（１１０）を提供するステップと、
前記機器（１０２）が前記記憶媒体（１１０）を受容するステップと、
前記スクリプト（１１２）の同一性および／または完全性を検証するステップと、
前記スクリプト（１１２）の前記同一性および／または完全性が前記機器（１０２）の同一性および／または完全性に対応する場合、前記オペレーティングシステム（１０８）によって、前記機器（１０２）によって受容される前記記憶媒体（１１０）を用いて前記機器（１０２）を開始させる際に、前記スクリプト（１１２）を実行するステップと、
ユーザが保存および／または復元コマンドを入力することを可能にするために、前記制御ユニット（１０６）によって入力メニューを提供するステップと、
前記機器（１０２）の設定を前記記憶媒体（１１０）に保存するステップ、ならびに／または、前記保存および／または復元コマンドに対応する前記復元データによって、前記機器（１０２）の設定を前記記憶媒体（１１０）から復元するステップと、
を含む方法。
【請求項２】
前記記憶媒体（１１０）が起動可能でない、請求項１記載の方法。
【請求項３】
前記スクリプト（１１２）の前記同一性および／または完全性が前記機器（１０２）の前記同一性および／または完全性に対応する場合、前記スクリプト（１１２）を復号化するステップをさらに含む、請求項１または２記載の方法。
【請求項４】
前記機器（１０２）の設定を前記記憶媒体（１１０）から復元するステップが、前記復元データを前記記憶媒体（１１０）から前記機器（１０２）にコピーおよび復号化するステップを含む、請求項１〜３のいずれか１項に記載の方法。
【請求項５】
前記機器（１０２）の設定を前記記憶媒体（１１０）に保存するステップが、設定データを前記記憶媒体（１１０）にコピーおよび暗号化するステップを含む、請求項１〜４のいずれか１項に記載の方法。
【請求項６】
前記機器（１０２）の前記設定が、データベースに記憶され、設定を保存するステップが、前記データベースを前記記憶媒体（１１０）にコピーするステップを含み、前記データベースが、前記記憶媒体（１１０）にコピーされる前に圧縮される、請求項１〜５のいずれか１項に記載の方法。
【請求項７】
前記機器（１０２）の開始が、前記機器（１０２）の起動を含み、前記機器（１０２）の起動が、前記記憶媒体（１１０）が前記機器（１０２）に挿入されているかどうかを検出することを含む、請求項１〜６のいずれか１項に記載の方法。
【請求項８】
前記スクリプト（１１２）が実行されるとき、前記機器（１０２）の起動が無効にされる、請求項７記載の方法。
【請求項９】
試料（１０４）または試薬を処理するための機器（１０２）、および記憶媒体（１１０）を備えるシステム（１００）であって、前記機器（１０２）が、制御ユニット（１０６）およびオペレーティングシステム（１０８）を備え、前記記憶媒体（１１０）が、スクリプト（１１２）を備え、前記スクリプト（１１２）が、前記機器（１０２）の設定を復元するための復元データを備え、前記スクリプト（１１２）が、暗号化および／またはデジタル署名され、前記機器（１０２）が、請求項１〜８のいずれか１項に記載の前記方法の各ステップを実行するように構成されるシステム（１００）。
【請求項１０】
前記機器（１０２）が、前記記憶媒体（１１０）が前記機器（１０２）に受容されることを可能にするように構成される接続装置（１１４）を備え、前記オペレーティングシステム（１０８）が、前記機器（１０２）によって受容される前記記憶媒体（１１０）を用いて前記機器（１０２）を開始するように構成され、前記オペレーティングシステム（１０８）が、前記スクリプト（１１２）の同一性および／または完全性を検証し、前記スクリプト（１１２）の前記同一性および／または完全性が前記機器（１０２）の同一性および／または完全性に対応する場合、前記スクリプト（１１２）を実行するように構成され、前記制御ユニット（１０６）が、ユーザが保存および／または復元コマンドを入力できるようにするための入力メニューを提供するように構成され、前記機器（１０２）が、前記機器（１０２）の設定を前記記憶媒体（１１０）に保存するように構成され、ならびに／または、前記保存および／または復元コマンドに対応する復元データによって、前記機器（１０２）の設定を前記記憶媒体（１１０）から復元するように構成される、請求項９記載のシステム（１００）。
【請求項１１】
前記記憶媒体（１１０）が起動可能でない、請求項９または１０記載のシステム（１００）。
【請求項１２】
前記オペレーティングシステム（１０８）が、前記スクリプト（１１２）の前記同一性および／または完全性が前記機器（１０２）の前記同一性および／または完全性に対応する場合、前記スクリプト（１１２）を復号化するように構成される、請求項９〜１１のいずれか１項に記載のシステム（１００）。
【請求項１３】
前記オペレーティングシステム（１０８）が、前記機器（１０２）の設定を前記記憶媒体（１１０）から復元するために、前記復元データを、前記記憶媒体（１１０）から前記機器（１０２）にコピーおよび復号化するように構成される、請求項９〜１２のいずれか１項に記載のシステム（１００）。
【請求項１４】
前記オペレーティングシステム（１０８）が、前記機器（１０２）の設定を前記記憶媒体（１１０）に保存するために、設定データを前記記憶媒体（１１０）にコピーおよび暗号化するように構成される、請求項９〜１３のいずれか１項に記載のシステム（１００）。
【請求項１５】
前記機器（１０２）が、表示装置（１１６）を備え、制御ユニット（１０６）が、前記表示装置（１１６）上に前記入力メニューを提供するように構成される、請求項９〜１４のいずれか１項に記載のシステム（１００）。
【発明の詳細な説明】
【技術分野】
【０００１】
本明細書において、試料または試薬を処理するための機器の設定を復元するための方法、ならびに試料または試薬を処理するための機器および記憶媒体を含むシステムが開示される。
【背景技術】
【０００２】
体外診断検査は、臨床判断に大きな影響を持ち、医師に重要な情報を提供する。具体的には、救命救急の状況において、迅速かつ正確な検査結果の提供が大きく重視される。体外診断検査は、通常、分析前機器、分析後機器および分析用機器などの、１つもしくは複数の生体試料および／または１つもしくは複数の試薬に対して、１つまたは複数の処理ステップ／ワークフローステップを実行するように動作可能である機器を使用して行われる。
【０００３】
分析用機器／分析装置は、測定値を取得するように構成される。分析装置は、様々な化学的、生物学的、物理学的、光学的または他の技術的処理によって、試料の、または試料の構成要素のパラメータ値を判定するように動作可能である。分析装置は、試料の、または少なくとも１つの分析物のパラメータを測定し、取得された測定値を返すように動作可能であってもよい。分析装置から返される、考えられる分析結果のリストは、限定しないが、試料中の分析物の濃度、（検出レベルを超える濃度に対応する）試料中の分析物の存在を示すデジタル方式（ｙｅｓまたはｎｏ）の結果、光学パラメータ、ＤＮＡまたはＲＮＡ配列、タンパク質または代謝物の質量分析から取得されるデータ、および様々な種類の物理または化学パラメータを含む。分析用機器は、試料および／または試薬のピペット操作、投薬および混合を援助するユニットを備えていてもよい。分析装置は、分析を行うために、試薬を把持するための試薬把持ユニットを備えていてもよい。試薬は、たとえば、個々の試薬または試薬のグループを含む容器またはカセットの形態で配置されてもよく、保管区画またはコンベヤ内の適切な入れ物または位置に設置されてもよい。分析装置は、消耗品供給ユニットを備えていてもよい。分析装置は、ワークフローが特定の種類の分析装置に最適化されている処理および検出システムを備えていてもよい。そのような分析装置の例は、化学もしくは生物反応の結果を検出するため、または化学もしくは生物反応の経過を監視するために使用される、臨床化学分析装置、凝固化学分析装置、免疫化学分析装置、尿分析装置、核酸分析装置である。
【０００４】
機器の適切な動作、および不具合／不良の場合に機器の設定を復元する方法を確実にするために、機器の設定を復元するための復元データが、機器に通信接続される記憶媒体に記憶される。これは通常、定期的に実行される、いわゆるバックアップ処理にて行われる。
【０００５】
既知の機器は、復元データを有する記憶媒体を受容するように、および記憶媒体から機器の設定を復旧するように構成される。１つの既知の解決策は、復元データを読み取り、それに従って機器の設定を復元する特徴が機器のソフトウェアに設けられることである。しかし、機器の設定を復旧する特徴すら利用不可能および／または不確実となるように、機器のソフトウェア自体が動作不能および／またはアクセス不可能になる場合がある。
【０００６】
そのような場合に対処するために、機器の設定を復旧する機能を含む起動可能なリカバリメディアを受容し、起動可能なリカバリメディアから機器を起動するように構成される先行技術の機器が知られている。
【０００７】
しかし、起動可能なリカバリメディアを受容し、リカバリメディアから起動するように機器を構成することは、悪意のある起動可能なメディアから起動するという選択肢を残すため、重大なセキュリティ上の脆弱性を招く。たとえば、そのような悪意のある起動可能なメディアは、機器のデータ保護および／または認証認可機構を回避するように設計されるソフトウェアコードを含む。
【発明の概要】
【０００８】
開示される方法およびシステムの実施形態は、機器の設定を復元するための安全で確実な方法を提供することを目的とする。
【０００９】
本明細書において、システム障害の場合において、試料または試薬を処理するための装置の設定を復元するための方法、および、試料または試薬を処理するための装置と、試料または試薬を処理するための装置の、具体的には医療用装置などオフラインの装置の、効率的で、適応性があり、安全なバックアップ手順を提供する記憶媒体とを含むシステムが開示される。
【００１０】
開示される、試料または試薬を処理するための装置の設定を復元するための方法、ならびに試料または試薬を処理するための装置および記憶媒体を含むシステムの実施形態は、独立請求項の特徴を有する。単独の方法または任意の組み合わせで実現されてもよい、本発明のさらなる実施形態は、従属請求項に開示される。
【００１１】
以下において用いられる「有する」、「備える」、「含む」、またはそれらの文法上の任意の変化形は、非排他的に使用される。したがって、これらの用語は、これらの用語によって導入される特徴以外に、文脈中に説明される実体に他のさらなる特徴が存在しない状態、および１つまたは複数のさらなる特徴が存在する状態の両方を指してもよい。例として、「ＡがＢを有する」、「ＡがＢを備える」、および「ＡがＢを含む」という表現は、Ｂ以外に他の要素がＡに存在しない状態（すなわち、Ａが単独かつ独占的にＢから構成される状態）、およびＢ以外に要素Ｃ、要素ＣおよびＤ、またはさらなる要素など、１つまたは複数の要素が実体Ａに存在する状態の両方を指してもよい。
【００１２】
さらに、「少なくとも１つの」、「１つまたは複数の」、または特徴または要素が１回または複数回存在することを示す類似の用語は、典型的には、それぞれの特徴または要素を導入するときに一度だけ使用される。以下において、ほとんどの場合、それぞれの特徴または要素に言及するとき、それぞれの特徴または要素が１回または複数回存在してもよいという事実にもかかわらず、「少なくとも１つの」または「１つまたは複数の」という表現は繰り返されない。
【００１３】
さらに、以下に使用される「具体的には」、「より具体的には」、「明確には」、「より明確には」、または類似の用語が、代替案を制限することなく、追加／代替の特徴と共に使用される。したがって、これらの用語によって導入される特徴は、追加／代替の特徴であり、決して請求項の範囲を制限することを意図しない。本発明は、当業者が理解するように、代替の特徴を用いて実行されてもよい。同様に、「本発明の実施形態では」または類似の表現によって導入される特徴は、本発明の代替の実施形態に関するどのような制限もない、本発明の範囲に関するどのような制限もない、および、そのように導入される特徴と、本発明の他の追加／代替の、または追加／代替でない特徴とを組み合わせる可能性に関するどのような制限もない、追加／代替の特徴であると意図される。
【００１４】
開示される方法／システムにより、試料または試薬を処理するための機器の設定を復元するための方法が開示される。機器は、制御ユニットおよびオペレーティングシステムを備える。スクリプトを備える記憶媒体が提供される。記憶媒体は、また、機器の設定を復元するための復元データも備える。スクリプトは、暗号化および／またはデジタル署名される。機器は記憶媒体を受容する。スクリプトの同一性（identity）および／または完全性（integrity）が検証され、スクリプトの同一性および／または完全性が機器の同一性および／または完全性に対応する場合、スクリプトが実行される。オペレーティングシステムによって、機器によって受容される記憶媒体を用いて機器を開始させる際に、スクリプトは実行される。ユーザが保存（saving）および／または復元（restoring）コマンドを入力できるように、制御ユニットによって入力メニューが提供される。機器の設定は記憶媒体に保存され、ならびに／または、保存および／もしくは復元コマンドに対応する復元データによって、機器の設定は記憶媒体から復元される。換言すると、機器の設定は記憶媒体に保存され、ならびに／または、保存および／もしくは復元コマンドが入力されているかどうかに依存する復元データによって、機器の設定は記憶媒体から復元される。
【００１５】
本明細書において使用される「機器」という用語は、１つもしくは複数の生物試料および／または１つもしくは複数の試薬に対して、１つまたは複数の処理ステップ／ワークフローステップを実行するように動作可能である任意の装置または装置の構成要素を指す。したがって、「処理ステップ」という表現は、遠心分離、分取（aliquotation）、試料分析などの物理的に実行される処理ステップを指す。「機器」という用語は、分析前機器、分析後機器および分析用機器に及ぶ。したがって、「機器」という用語は、「検査室機器」の同義として使用される。
【００１６】
本明細書において使用される「分析装置／分析用機器」は、測定値を取得するように構成される任意の装置または装置の構成要素を包含する。分析装置は、様々な化学的、生物学的、物理学的、光学的または他の技術的処理によって、試料の、または試料の構成要素のパラメータ値を判定するように動作可能である。分析装置は、試料の、または少なくとも１つの分析物のパラメータを測定し、取得された測定値を返すように動作可能であってもよい。分析装置から返される、考えられる分析結果のリストは、限定しないが、試料中の分析物の濃度、（検出レベルを超える濃度に対応する）試料中の分析物の存在を示すデジタル方式（ｙｅｓまたはｎｏ）の結果、光学パラメータ、ＤＮＡまたはＲＮＡ配列、タンパク質または代謝物の質量分析から取得されるデータ、および様々な種類の物理または化学パラメータを含む。分析用機器は、試料および／または試薬のピペット操作、投薬および混合を援助するユニットを備えていてもよい。分析装置は、分析を行うために、試薬を把持するための試薬把持ユニットを備えていてもよい。試薬は、たとえば、個々の試薬または試薬のグループを含む容器またはカセットの形態で配置されてもよく、保管区画またはコンベヤ内の適切な入れ物または位置に設置されてもよい。分析装置は、消耗品供給ユニットを備えていてもよい。分析装置は、ワークフローが特定の種類の分析装置に最適化されている処理および検出システムを備えていてもよい。そのような分析装置の例は、化学もしくは生物反応の結果を検出するため、または化学もしくは生物反応の経過を監視するために使用される、臨床化学分析装置、凝固化学分析装置、免疫化学分析装置、尿分析装置、核酸分析装置である。
【００１７】
本明細書において使用される「スクリプト」という用語は、スクリプト言語で記述されたプログラムを指し、プログラムは、機器のオペレーティングシステムがスクリプトのインストラクションを解読し、実行できるように記述される。対照的に、通常のプログラムは、典型的には、機械語に翻訳された言語で記述され、マシン語の形態で分配される。プログラムに基づく方法は、より著しい変更、およびソフトウェアの再コンパイルを必要とするが、スクリプトの性質のため、修正は容易に導入することができる。したがって、スクリプトは、実行されるインストラクションのリストである。
【００１８】
本明細書において使用される「制御ユニット」という用語は、（１つまたは複数の）ワークフローおよび（１つまたは複数の）ワークフローステップが検査室機器／システムによって実施されるように、検査室機器／または１つもしくは複数の検査室機器を備えるシステムを制御するように構成可能である任意の物理または仮想処理装置を包含する。制御ユニットは、たとえば、（１つまたは複数の）分析前、分析後および分析ワークフロー／ワークフローステップを実施するように検査室機器／システムを指示してもよい。制御ユニットは、データ管理ユニットから、どのステップが特定の試料を用いて行われる必要があるのか、に関する情報を受信してもよい。いくつかの実施形態では、制御ユニットは、データ管理ユニットと一体であってもよく、サーバコンピュータに含まれ、および／または、１つの検査室機器の一部であるか、もしくは検査室システムの複数の機器に亘って分配されてもよい。たとえば、制御ユニットは、動作を行うためのインストラクションと共に提供されるコンピュータ可読プログラムを実行する、プログラム可能なロジックコントローラとして具体化されてもよい。
【００１９】
上記のように、方法は、スクリプトの同一性を検証するステップを含む。本明細書において使用されるこのステップは、スクリプトの認証処理の一部を指す。認証とは、実体により本物であると主張する単一のデータの属性の真偽を確認する行為である。開示される方法／システムでは、認証は、スクリプトの識別の有効性の検証を含む。換言すると、オペレーティングシステムは、機器に記憶される許容スクリプトに関する情報と、スクリプトによって与えられる情報とを比較する。比較により、情報の一致が明らかになれば、スクリプトの信頼性が確認される、すなわち証明される。この場合、スクリプトの実行が許可される。
【００２０】
代替的に、またはそれに加えて、方法が、スクリプトの完全性を検証するステップを含む。本明細書において使用されるこのステップは、完全であることおよび／または損なわれていないことを確認するための処理の一部を指す。この処理により、参照データに追加されるチェックサムなどの冗長性に基づく比較によって、事前に記憶媒体に保存されたスクリプトのデータが確認される。そのようなチェックサムは、デジタル署名であってもよい。この確認によって、スクリプトが完全であり、損なわれていないということが明らかになると、スクリプトの実行が許可される。
【００２１】
本明細書において使用される「設定」という用語は、機器の構成、すなわち、機能ユニットの、その性質、数および主要な特性に従った配置を指す。構成は、機器の機能および性能に影響し、機器が作動する際に従うインストラクションを少なくとも含む。
【００２２】
ソフトウェアに基づく方法の代わりにスクリプトを使用することで、プラットフォームおよび装置の種類の独立性が提供されるため、方法は、順応性および安全性を提供する。これは、異なるバージョンを分配する必要なくＡＲＭ、ｘ８６、ＰｏｗｅｒＰＣなどで実行可能であることを意味する。さらに、スクリプトが暗号化および／またはデジタル署名されることにより、データ伝送の安全性が提供される。具体的には、スクリプトはパスワードがなくてもよく、スクリプトの同一性および／または完全性が確認される場合にのみスクリプトは実行されるため、データ伝送は依然として安全である。さらに、機器のハードウェアが正常である限り、バックアップはいつでも、通常のソフトウェアが起動しない機器の故障の後でさえも作成可能である。
【００２３】
具体的には、記憶媒体は起動可能ではない。
【００２４】
本明細書において使用される「起動可能」という用語は、起動することが可能である装置を指す。類似して、「起動可能でない」という用語は、任意のオペレーティングシステムが起動されることを防ぐために、起動可能なドライブを回避することを示す。本明細書において使用される「起動する」という用語は、スイッチがオフにされた状態からのコンピュータシステムの初期化を指す。起動は、典型的には、パワーオン・セルフテストの実行、周辺装置の検索および初期化、そしてオペレーティングシステムの検出、読み込みおよび開始を含む。
【００２５】
記憶媒体が起動可能でないことにより、データにアクセスする悪意のある起動可能な媒体を使用する危険性が取り除かれる。署名の使用により、スティックの信頼性の簡易な識別が可能になる。
【００２６】
スクリプトは、署名によって暗号化されてもよい。したがって、記憶媒体の信頼性の簡易な識別が、署名を使用することによって提供される。
【００２７】
方法は、スクリプトの同一性および／または完全性が機器の同一性および／または完全性に対応する場合に、スクリプトを復号化するステップをさらに含む。したがって、スクリプトは、復号化の後以外では、暗号化のため閲覧も変更もできない。
【００２８】
記憶媒体から機器の設定を復元するステップは、復元データを記憶媒体から機器にコピーするステップを含んでもよい。したがって、不明なデータにより問題が引き起こされ得るというデバッギングの目的に特に関連する、完全なデータのバックアップまたは更新が可能になる。
【００２９】
記憶媒体から機器の設定を復元するステップは、復元データを記憶媒体から復号化するステップを含んでもよい。したがって、スクリプトの同一性および／または完全性が機器の同一性および／または完全性に対応する場合において、この場合に限り復元データが復号化されるため、復元データが機器にコピーされることが確実になる。したがって、復元データの安全性が向上する。
【００３０】
機器の設定を保存するステップは、設定データを記憶媒体にコピーするステップを含んでもよい。このようにして、バックアップデータが生成されてもよく、設定が複製されてもよい。
【００３１】
機器の設定を記憶媒体に保存するステップは、設定データを記憶媒体上で暗号化するステップを含む。したがって、設定は安全に記憶される。
【００３２】
機器の設定は、データベースに記憶されてもよい。設定を保存するステップは、データベースを記憶媒体にコピーするステップを含んでもよい。したがって、部分バックアップデータのみの生成が可能であるコンパクトフラッシュ（登録商標）カードの使用に反して、フルバックアップデータの生成が可能である。
【００３３】
データベースは、記憶媒体にコピーされる前に圧縮されてもよい。したがって、データ量が減少し得る。
【００３４】
データベースは、パスワードによって保護されてもよい。したがって、スクリプトは、暗号化のため閲覧も変更もできない。
【００３５】
パスワードは、オペレーティングシステムによって作成されてもよい。したがって、設定データを保護する簡易の方法が提供される。
【００３６】
機器の開始は、機器の起動を含む。機器の起動は、記憶媒体が機器によって受容されたかどうかを検出することを含んでもよい。したがって、機器の通常の起動は、スクリプトを探すことを含む。
【００３７】
スクリプトが実行されるとき、機器の起動は無効にされてもよい。したがって、記憶媒体からの機器の通常の起動は無効にされるが、機器の起動シーケンスはスクリプトを探し、スクリプトの実行を許可する。
【００３８】
記憶媒体は、記録される識別番号を与えられる。したがって、すべてのデータ抽出を記録することが提供される。
【００３９】
機器の設定を復元するステップは、ユーザによるパスワードの入力を含んでもよい。したがって、設定の復元または更新は、オペレータまたはユーザが意図する場合のみ実行される。
【００４０】
機器は、表示装置を含んでもよく、表示装置上に入力メニューが提供されてもよい。したがって、スクリプトのユーザフレンドリな操作が提供される。
【００４１】
入力メニューは、ユーザが保存および／または復元コマンドを入力することなく入力メニューを終了できるように構成されてもよく、入力画面を終了した場合、機器が起動される。したがって、機器の起動を可能にするために、スクリプトの実行は、機器のユーザによって妨げられてもよい。
【００４２】
記憶媒体は、ＵＳＢスティックなどのＵＳＢ記憶装置であってもよい。したがって、共通記憶装置が、スクリプトを記憶するために使用されてもよい。したがって、開示される方法／システムの分野においてＵＳＢ接続装置はほとんどの機器に共通であるため、方法は、開示される方法／システムの分野におけるほぼすべての機器を用いて実行され得る。
【００４３】
さらに、開示される方法／システムによれば、試料または試薬を処理するための機器を備えるシステムが開示される。機器は、制御ユニットおよびオペレーティングシステムを備える。システムは記憶媒体をさらに備える。記憶媒体はスクリプトを備える。スクリプトは、機器の設定を復元するための復元データを備える。機器は、上記の方法の各ステップを実行するように構成される。
【００４４】
機器は、記憶媒体を受容するように構成される接続装置を備えてもよい。したがって、接続装置は、ユーザが記憶媒体を機器に挿入することを可能にする。オペレーティングシステムは、機器に受容される記憶媒体を用いて機器を開始するように構成されてもよい。スクリプトは、暗号化および／またはデジタル署名されてもよい。オペレーティングシステムは、スクリプトの同一性および／または完全性を検証するように構成されてもよい。機器は、スクリプトの同一性および／または完全性が機器の同一性および／または完全性に対応する場合に、スクリプトを実行するように構成されてもよい。制御ユニットは、ユーザが保存および／または復元コマンドを入力することを可能にするために、入力メニューを提供するように構成されてもよい。さらに、機器は、機器の設定を記憶媒体に保存するように構成されてもよく、ならびに／または、保存および／もしくは復元コマンドに対応または依存する復元データによって、機器の設定を記憶媒体から復元するように構成されてもよい。
【００４５】
したがって、ソフトウェアに基づく方法の代わりにスクリプトを使用することで、プラットフォームおよび装置の種類の独立性が提供されるため、システムは、順応性および安全性を提供する。これは、異なるバージョンを分配する必要なく、ＡＲＭ、ｘ８６、ＰｏｗｅｒＰＣなどで実行可能であることを意味する。さらに、スクリプトが暗号化および／またはデジタル署名されることにより、データ伝送の安全性が提供される。具体的には、スクリプトはパスワードがなくてもよく、スクリプトの同一性および／または完全性が検証される場合にのみスクリプトは実行されるため、データ伝送は依然として安全である。さらに、機器のハードウェアが正常である限り、バックアップはいつでも、通常のソフトウェアが起動しない機器の故障の後でさえも作成可能である。
【００４６】
記憶媒体は起動可能でなくてもよい。記憶媒体が起動可能でないことにより、データにアクセスする悪意のある起動可能な媒体を使用する危険性が取り除かれる。これにより、署名の使用によるスティックの信頼性の簡易な識別が可能になる。
【００４７】
スクリプトは、署名によって暗号化されてもよい。したがって、記憶媒体の信頼性の簡易な識別が、署名を使用することによって提供される。
【００４８】
オペレーティングシステムは、スクリプトの同一性および／または完全性が機器の同一性および／または完全性に対応する場合に、スクリプトを復号化するように構成されてもよい。したがって、スクリプトは、復号化の後以外では、暗号化のため閲覧も変更もできない。
【００４９】
オペレーティングシステムは、記憶媒体から機器の設定を復元するために、復元データを記憶媒体から機器へコピーするように構成されてもよい。したがって、システムは、不明なデータにより問題が引き起こされ得るというデバッギングの目的に特に関連する、完全なデータのバックアップまたは更新を可能にする。
【００５０】
オペレーティングシステムは、記憶媒体から機器の設定を復元するために、記憶媒体からの復元データを復号化するように構成されてもよい。したがって、スクリプトの同一性および／または完全性が機器の同一性および／または完全性に対応する場合において、この場合に限り復元データが復号化されるため、復元データが機器にコピーされることが確実になる。したがって、復元データの安全性が向上する。
【００５１】
オペレーティングシステムは、機器の設定を記憶媒体に保存するために、設定データを記憶媒体にコピーするように構成されてもよい。したがって、バックアップデータが生成されてもよく、設定が複製されてもよい。
【００５２】
オペレーティングシステムは、機器の設定を記憶媒体に保存するために、設定データを記憶媒体上で暗号化するように構成されてもよい。したがって、システムは、設定が安全に記憶されることを可能にする。
【００５３】
機器は、設定をデータベースに記憶するように構成されてもよい。オペレーティングシステムは、設定を保存するために、データベースを記憶媒体にコピーするように構成されてもよい。したがって、フルバックアップデータの生成が可能である。
【００５４】
オペレーティングシステムは、データベースを、記憶媒体にコピーされる前に圧縮するように構成されてもよい。したがって、データ量が減少し得る。
【００５５】
機器は、パスワードによってデータベースを保護するように構成されてもよい。したがって、スクリプトは、暗号化のため閲覧も変更もできない。
【００５６】
オペレーティングシステムは、パスワードを作成するように構成されてもよい。したがって、設定データを保護する簡易の方法が提供される。
【００５７】
オペレーティングシステムは、機器の開始のために、機器を起動するように構成される。オペレーティングシステムは、機器の起動中に記憶媒体が機器によって受容されたかどうかを検出するように構成されてもよい。したがって、機器は、通常の起動中にスクリプトを探す。
【００５８】
スクリプトが実行されるとき、機器の起動は無効にされてもよい。したがって、記憶媒体からの機器の通常の起動は無効にされるが、機器の起動シーケンスはスクリプトを探し、スクリプトの実行を許可する。
【００５９】
記憶媒体は、記録される識別番号を与えられる。したがって、すべてのデータ抽出を記録することが提供される。
【００６０】
制御ユニットは、機器の設定を復元するために、ユーザによるパスワードの入力を必要とするように構成されてもよい。したがって、設定の復元または更新は、ユーザが意図する場合のみ実行される。
【００６１】
記憶媒体は、ＵＳＢスティックなどのＵＳＢ記憶装置であってもよい。したがって、共通記憶装置が、スクリプトを記憶するために使用されてもよい。したがって、開示される方法／システムの分野においてＵＳＢ接続装置はほとんどの機器に共通であるため、方法は、開示される方法／システムの分野におけるほぼすべての機器を用いて実行され得る。
【００６２】
機器は、表示装置を備えてもよい。制御ユニットは、表示装置上に入力メニューを提供するように構成されてもよい。したがって、スクリプトのユーザフレンドリな操作が提供される。
【００６３】
入力メニューは、ユーザが保存および／または復元コマンドを入力することなく入力メニューを終了できるように構成されてもよく、オペレーティングシステムは、入力画面を終了した場合に、機器を起動するように構成される。したがって、機器の起動を可能にするために、スクリプトの実行は、機器のユーザによって妨げられてもよい。
【００６４】
本発明は、スクリプトがコンピュータまたはコンピュータネットワーク上で実行されると、本明細書に含まれる実施形態の１つまたは複数において、開示される方法／システムによる方法を行うためのコンピュータが実行可能なインストラクションを含むコンピュータスクリプトをさらに開示および提案する。明確には、コンピュータスクリプトは、コンピュータが読み取り可能のデータキャリアに保存されてもよい。したがって、明確には、コンピュータまたはコンピュータネットワークを使用することによって、具体的には、コンピュータスクリプトを使用することによって、上記の方法のステップの１つ、複数、またはすべてが行われてもよい。
【００６５】
本発明は、スクリプトがコンピュータまたはコンピュータネットワーク上で実行されると、本明細書に含まれる実施形態の１つまたは複数において、開示される方法／システムによる方法を行うために、スクリプトコード手段を有するコンピュータスクリプト製品をさらに開示および提案する。明確には、スクリプトコード手段は、コンピュータが読み取り可能のデータキャリアに記憶されてもよい。
【００６６】
さらに、本発明は、コンピュータまたはコンピュータネットワークへの、たとえばコンピュータまたはコンピュータネットワークのワーキングメモリまたはメインメモリ内などへの読み込み後に、本明細書において開示される実施形態の１つまたは複数による方法を実行してもよいデータ構造を記憶したデータキャリアを開示および提案する。
【００６７】
本発明は、スクリプトがコンピュータまたはコンピュータネットワーク上で実行されると、本明細書に開示される実施形態の１つまたは複数による方法を行うために、機械が読み取り可能のキャリアに記憶されるスクリプトコード手段を有するコンピュータスクリプト製品をさらに提案および開示する。本明細書で使用されるように、コンピュータスクリプト製品は、取引可能な製品としてのスクリプトを指す。製品は、概して、紙の形式で、またはコンピュータが読み取り可能のデータキャリア上に、など任意の形式で存在してもよい。明確には、コンピュータスクリプト製品は、データネットワークを通じて分配されてもよい。
【００６８】
最後に、本発明は、本明細書において開示される実施形態の１つまたは複数による方法を行うために、コンピュータシステムまたはコンピュータネットワークによって読み取り可能であるインストラクションを含む変調データ信号を提案および開示する。
【００６９】
本発明のコンピュータで実施される態様を参照すると、本明細書において開示される実施形態の１つまたは複数による方法の方法ステップの１つもしくは複数、または方法ステップの全てが、コンピュータまたはコンピュータネットワークを使用することによって行われてもよい。したがって、概して、データの提供および／または操作を含む方法ステップのいずれも、コンピュータまたはコンピュータネットワークを使用することによって行われてもよい。概して、これらの方法ステップは、典型的には、試料の提供および／または実測の実行の特定の態様など、手作業を要する方法ステップを除く方法ステップのいずれを含んでもよい。
【００７０】
明確には、開示される方法／システムは、
少なくとも１つのプロセッサを含むコンピュータまたはコンピュータネットワークであって、プロセッサが、本明細書において説明される実施形態の１つによる方法を行うように構成される、コンピュータまたはコンピュータネットワークと、
コンピュータ上で実行される間、本明細書において記載される実施形態の１つによる方法を行うように構成される、コンピュータが読み込み可能のデータ構造と、
コンピュータ上で実行される間、本明細書において記載される実施形態の１つによる方法を行うように構成されるコンピュータスクリプトと、
コンピュータまたはコンピュータネットワーク上で実行される間、本明細書において記載される実施形態の１つによる方法を行うためのスクリプト手段を備えるコンピュータスクリプトと、
先行する実施形態によるコンピュータスクリプト手段を備えるコンピュータスクリプトであって、スクリプト手段が、コンピュータが読み取り可能である記憶媒体に記憶される、コンピュータスクリプトと、
記憶媒体であって、データ構造が、記憶媒体に記憶され、データ構造が、コンピュータの、またはコンピュータネットワークのメインメモリおよび／またはワーキングメモリに読み込まれた後に、本明細書において記載される実施形態の１つによる方法を行うように構成される、記憶媒体と、
スクリプト手段を有するコンピュータスクリプト製品であって、スクリプト手段がコンピュータ上またはコンピュータネットワーク上で実行される場合、本明細書において記載される実施形態の１つによる方法を行うために、スクリプト手段が記憶媒体に記憶可能である、または記憶されている、コンピュータスクリプト製品と、
をさらに開示する。
【００７１】
開示される方法／システムの結果を要約すると、以下の実施形態が開示される。
【００７２】
実施形態１  試料または試薬を処理するための機器の設定を復元するための方法であって、機器が、制御ユニットおよびオペレーティングシステムを備え、方法が、
記憶媒体を提供するステップであって、記憶媒体がスクリプトを備え、スクリプトが、機器の設定を復元するための復元データを備え、スクリプトが暗号化／デジタル署名される、記憶媒体を提供するステップと、
機器が記憶媒体を受容するステップと、
スクリプトの同一性および／または完全性を検証するステップと、
スクリプトの同一性および／または完全性が機器の同一性および／または完全性に対応する場合、オペレーティングシステムによって、機器によって受容される記憶媒体を用いて機器を開始させる際に、スクリプトを実行するステップと、
ユーザが保存および／または復元コマンドを入力することを可能にするために、制御ユニットによって入力メニューを提供するステップと、
機器の設定を記憶媒体に保存するステップ、ならびに／または、保存および／もしくは復元コマンドに対応する復元データによって、機器の設定を記憶媒体から復元するステップと、
を含む方法。
【００７３】
実施形態２  記憶媒体が起動可能でない、実施形態１による方法。
【００７４】
実施形態３  スクリプトが署名によって暗号化される、実施形態２による方法。
【００７５】
実施形態４  スクリプトの同一性および／または完全性が機器の同一性および／または完全性に対応する場合、スクリプトを復号化するステップをさらに含む、実施形態２または３による方法。
【００７６】
実施形態５  機器の設定を記憶媒体から復元するステップが、復元データを記憶媒体から機器にコピーするステップを含む、実施形態１〜４のいずれか１つによる方法。
【００７７】
実施形態６  機器の設定を記憶媒体から復元するステップが、復元データを記憶媒体から機器に復号化するステップを含む、実施形態１〜５のいずれか１つによる方法。
【００７８】
実施形態７  機器の設定を記憶媒体に保存するステップが、設定データを記憶媒体にコピーするステップを含む、実施形態１〜６のいずれか１つによる方法。
【００７９】
実施形態８  機器の設定を記憶媒体に保存するステップが、設定データを記憶媒体上で暗号化するステップを含む、実施形態１〜７のいずれか１つによる方法。
【００８０】
実施形態９  機器の設定がデータベースに記憶され、設定を保存するステップが、データベースを記憶媒体にコピーするステップを含む、実施形態１〜８のいずれか１つによる方法。
【００８１】
実施形態１０  データベースが、記憶媒体にコピーされる前に圧縮される、実施形態９による方法。
【００８２】
実施形態１１  データベースがパスワードによって保護される、実施形態９または１０による方法。
【００８３】
実施形態１２  パスワードがオペレーティングシステムによって作成される、実施形態１１による方法。
【００８４】
実施形態１３  機器の開始が、機器の起動を含み、機器の起動が、記憶媒体が機器に挿入されているかどうかを検出することを含む、実施形態１〜１２のいずれか１つによる方法。
【００８５】
実施形態１４  スクリプトが実行されるとき、機器の起動が無効にされる、実施形態１３による方法。
【００８６】
実施形態１５  記憶媒体が、記録される識別番号を与えられる、実施形態１〜１４のいずれか１つによる方法。
【００８７】
実施形態１６  機器の設定を復元するステップが、ユーザによるパスワードの入力を含む、実施形態１〜１５のいずれか１つによる方法。
【００８８】
実施形態１７  記憶媒体がＵＳＢ記憶装置である、実施形態１〜１６のいずれか１つによる方法。
【００８９】
実施形態１８  機器が表示装置を備え、入力メニューが表示装置上に提供される、実施形態１〜１７のいずれか１つによる方法。
【００９０】
実施形態１９  入力メニューが、ユーザが保存および／または復元コマンドを入力することなく入力メニューを終了できるように構成され、入力メニューの終了の場合、機器が起動される、実施形態１〜１８のいずれか１つによる方法。
【００９１】
実施形態２０  試料または試薬を処理するための機器を備えるシステムであって、機器が、制御ユニット、オペレーティングシステムおよび記憶媒体を備え、記憶媒体がスクリプトを備え、スクリプトが、機器の設定を復元するための復元データを備え、機器が、実施形態１〜１９のいずれか１つによる方法の各ステップを実行するように構成される、システム。
【００９２】
実施形態２１  機器が、記憶媒体が機器に挿入されることを可能にするように構成される接続装置を備え、オペレーティングシステムが、機器に挿入される記憶媒体を用いて機器を開始するように、および、スクリプトを実行するように構成され、制御ユニットが、ユーザが保存および／または復元コマンドを入力できるようにするための入力メニューを提供するように構成され、機器が、機器の設定を記憶媒体に保存するように構成され、ならびに／または、保存および／もしくは復元コマンドに対応する復元データによって、機器の設定を記憶媒体から復元するように構成される、実施形態２０によるシステム。
【００９３】
実施形態２２  記憶媒体が起動可能でない、実施形態２０または２１によるシステム。
【００９４】
実施形態２３  スクリプトが署名によって暗号化される、実施形態２０〜２２のいずれか１つによるシステム。
【００９５】
実施形態２４  オペレーティングシステムが、スクリプトの同一性および／または完全性が機器の同一性および／または完全性に対応する場合、スクリプトを復号化するように構成される、実施形態２０〜２３のいずれか１つによるシステム。
【００９６】
実施形態２５  オペレーティングシステムが、機器の設定を記憶媒体から復元するために、復元データを、記憶媒体から機器にコピーするように構成される、実施形態２０〜２４のいずれか１つによるシステム。
【００９７】
実施形態２６  オペレーティングシステムが、機器の設定を記憶媒体から復元するために、記憶媒体から復元データを復号化するように構成される、実施形態２０〜２５のいずれか１つによるシステム。
【００９８】
実施形態２７  オペレーティングシステムが、機器の設定を記憶媒体に保存するために、設定データを記憶媒体にコピーするように構成される、実施形態２０〜２６のいずれか１つによるシステム。
【００９９】
実施形態２８  オペレーティングシステムが、機器の設定を記憶媒体に保存するために、設定データを記憶媒体上で暗号化するように構成される、実施形態２０〜２７のいずれか１つによるシステム。
【０１００】
実施形態２９  機器が、設定をデータベースに記憶するように構成され、オペレーティングシステムが、設定を保存するためにデータベースを記憶媒体にコピーするように構成される、実施形態２０〜２８のいずれか１つによるシステム。
【０１０１】
実施形態３０  オペレーティングシステムが、データベースを、記憶媒体にコピーされる前に圧縮するように構成される、実施形態２９によるシステム。
【０１０２】
実施形態３１  機器が、パスワードによってデータベースを保護するように構成される、実施形態２９または３０によるシステム。
【０１０３】
実施形態３２  オペレーティングシステムが、パスワードを作成するように構成される、実施形態３１によるシステム。
【０１０４】
実施形態３３  オペレーティングシステムが、機器の開始のために機器を起動するように構成され、オペレーティングシステムが、機器の起動中に、記憶媒体が機器に挿入されているかどうかを検出するように構成される、実施形態２０〜３２のいずれか１つによるシステム。
【０１０５】
実施形態３４  スクリプトが実行されるとき、機器の起動が無効にされる、実施形態３３によるシステム。
【０１０６】
実施形態３５  記憶媒体が、記録される識別番号を与えられる、実施形態２０〜３４のいずれか１つによるシステム。
【０１０７】
実施形態３６  制御ユニットが、機器の設定を復元するために、ユーザによるパスワードの入力を要求するように構成される、実施形態２０〜３５のいずれか１つによるシステム。
【０１０８】
実施形態３７  記憶媒体がＵＳＢ記憶装置である、実施形態２０〜３６のいずれか１つによるシステム。
【０１０９】
実施形態３８  機器が、表示装置を備え、制御ユニットが、表示装置上に入力メニューを提供するように構成される、実施形態２０〜３７のいずれか１つによるシステム。
【０１１０】
実施形態３９  入力メニューが、ユーザが保存および／または復元コマンドを入力することなく入力メニューを終了できるように構成され、入力メニューの終了の場合、オペレーティングシステムが機器を起動するように構成される、実施形態２０〜３８のいずれか１つによるシステム。
【０１１１】
実施形態４０  記憶媒体がＵＳＢ記憶装置である、実施形態２０〜３９のいずれか１つによるシステム。
【０１１２】
本発明のさらなる特徴および実施形態が、以下の説明において、具体的には従属請求項と共に、より詳細に開示される。そこでは、それぞれの特徴が、当業者が理解するように、単独で、および任意の実行可能な組み合わせで実現されてもよい。図面において、実施形態を概略的に説明する。そこでは、図面中の同一の参照番号は、同一の要素または機能的に同一の要素を指す。
【図面の簡単な説明】
【０１１３】
【図１】試料または試薬を処理するための機器および記憶媒体を備えるシステムの斜視図を示す。
【図２】開示される実施形態による方法のフローチャートを示す。
【発明を実施するための形態】
【０１１４】
図１は、試料１０４または試薬を処理するための機器１０２を備えるシステム１００の斜視図である。機器１０２は、制御ユニット１０６およびオペレーティングシステム１０８を備える。制御ユニット１０６は、オペレーティングシステム１０８が動作する市販のＰＣなどであってもよい。システム１００は、起動可能でない記憶媒体１１０をさらに備える。記憶媒体１１０は、ＵＳＢスティックなどであってもよい。記憶媒体１１０は、記録される識別番号を与えられてもよい。記憶媒体１１０はスクリプト１１２を備える。スクリプト１１２は、機器１０２の設定を復元するための復元データを備える。スクリプト１１２は暗号化される。代替的に、またはそれに加えて、スクリプト１１２はデジタル署名されてもよい。より具体的には、スクリプト１１２は、署名によって暗号化される。
【０１１５】
機器１０２は、記憶媒体１１０を受容するように構成される接続装置１１４をさらに備える。接続装置１１４により、ユーザは、記憶媒体１１０を機器１０２に挿入することが可能になる。たとえば、接続装置１１４は、ＵＳＢスロットであってもよい。機器１０２は、表示装置１１６をさらに含む。表示装置１１６はモニターであってもよい。表示装置１１６は、コマンドおよびインストラクションをそれぞれ入力することによって、ユーザが機器１０２と通信することを可能にするために、タッチスクリーンなどのグラフィカルインターフェースを備えていてもよい。
【０１１６】
機器１０２は、また、検査室機器と呼ばれてもよい。たとえば、機器１０２は、分析装置または分析用機器である。したがって、分析装置は、試料１０４から測定値を取得するように構成される。分析装置は、試料１０４またはその構成要素のパラメータ値を判定するように動作可能である。たとえば、分析装置は、いわゆるポイントオブケア検査において使用されるように構成される。
【０１１７】
本明細書において使用される「ポイントオブケア検査」という用語は、患者ケアの現場、すなわち、医療サービスまたは医療関係のサービスが提供される、救急部、集中治療室、プライマリーケア環境、医療センターなどの保健医療環境における、またはその現場近くにおける、患者の１つまたは複数の試料の分析を包含する。ポイントオブケア検査は、多くの場合、可搬式、携帯式および手持ち式の機器の使用によって達成されるが、手持ち式の装置が利用できない場合、小型の卓上分析装置または固定式の装置が使用されてもよい。患者の位置において、または患者の位置の近くにおいて、極めて短い期間で、患者の試料を採取し、分析データを取得することが目標である。たとえば、患者は人間であってもよく、試料は人間の血液であってもよく、分析装置は、血糖値を測定データとして検出するように構成されてもよい。
【０１１８】
したがって、機器１０２は、試料１０４から測定データを取得するように構成される。そのようにして取得された測定データは、制御ユニット１０６に記憶される。機器１０２は、その設定による分析処理を実行するように構成される。言うまでもなく、機器１０２の設定は、機器１０２を動作させるためのさらなるデータ、または他のデータを含む。設定は、機器１０２のデータベースに記憶される。データベースは、オペレーティングシステム１０８によって作成されるパスワードによって保護される。
【０１１９】
図２は、機器１０２の設定を保存および／または復元するための方法のフローチャートを示している。基本的には、以下に記載される方法ステップのそれぞれは、機器１０２によって実行されてもよい。ステップＳ１において、機器１０２が、オペレーティングシステム１０８によって開始される。ステップＳ２において、オペレーティングシステム１０８が、記憶媒体検出スクリプトの起動、および立ち上げを開始する。換言すると、機器１０２は、起動されると、記憶媒体１１０の受容を検出するために記憶媒体スクリプトの実行を開始する。ステップＳ３において、記憶媒体１１０が、機器１０２および接続装置１１４にそれぞれ挿入されたかどうか、または受容されたかどうかを、オペレーティングシステム１０８が検出する。
【０１２０】
記憶媒体１１０が機器１０２によって受容されなければ、方法はステップＳ４に進み、機器１０２が、規則通りまたは通常通りに起動される。記憶媒体１１０が検出される場合、方法はステップＳ５に進み、記憶媒体１１０が、機器１０２および接続装置１１４それぞれに受容される。ステップＳ６において、オペレーティングシステム１０８が、スクリプト１１２の同一性および／または完全性を検証する。換言すると、オペレーティングシステム１０８が、正確に名づけられ、暗号化されたファイルが記憶媒体１１０に見つかるかどうかを確認する。スクリプト１１２の同一性および／または完全性が、機器１０２の同一性および／または完全性に対応しない、すなわち、スクリプト１１２が、正しいものではない場合、方法はステップＳ４に戻る、すなわち、機器１０２が通常通り起動される。スクリプト１１２の同一性および／または完全性が、機器１０２の同一性および／または完全性に対応する、すなわち、スクリプト１１２が、正しいものである場合、方法はＳ７に進み、スクリプト１１２が、オペレーティングシステム１０８によって復号化され、実行される。スクリプト１１２が実行されると、機器１０２の起動が無効にされる。機器１０２は、起動可能でない記憶媒体１１０であるため、記憶媒体１１０から起動されない。
【０１２１】
続いて、方法はステップＳ８に進み、制御ユニット１０６が、表示装置１１６上に入力メニューを提供する。ユーザは、表示装置１１６のグラフィカルインターフェースによって、入力メニュー内でコマンドを入力してもよい。入力メニューは、ユーザによる選択を可能にする。より具体的には、ユーザは、ステップＳ９において入力される３つの選択肢の間で選択してもよい。第１の選択肢として、ユーザは、終了コマンド以外の他のコマンドを入力することなく入力メニューを終了してもよい。この場合、方法はステップ４に進む。第２の選択肢として、入力メニューは、ユーザが保存コマンドを入力することを可能にする。第３の選択肢として、入力メニューは、ユーザが復元コマンドを入力することを可能にする。ステップＳ９においてユーザが保存コマンドを入力すると、方法はステップ１０に進み、機器１０２の設定を保存するために、オペレーティングシステム１０８によって設定データが機器１０２から記憶媒体１１０にコピーされる。より具体的には、オペレーティングシステム１０８は、設定が記憶されるデータベースを記憶媒体１１０にコピーする。オペレーティングシステム１０８は、データベースを、記憶媒体１１０にコピーされる前に圧縮してもよい。設定データは、暗号化されてもよい。たとえば、機器１０２は、オペレーティングシステム１０８によって作成されるパスワードによってデータベースを保護してもよい。その後に、方法はステップＳ９に戻る。
【０１２２】
ステップＳ９においてユーザが復元コマンドを入力すると、方法はステップＳ１１に進み、復元データが、記憶媒体１１０から機器１０２にコピーされる。より具体的には、制御ユニット１０６は、機器１０２の設定を記憶媒体１１０から復元するための復元データを復号化するために、機器１０２の設定を復元するために、ユーザによるパスワードの入力を要求する。そして、機器１０２の設定が復元される。復元プロセスは、更新プロセスも含んでもよい。その後に、方法はステップＳ９に戻る。
【符号の説明】
【０１２３】
１００  システム
１０２  機器
１０４  試料
１０６  制御ユニット
１０８  オペレーティングシステム
１１０  記憶媒体
１１２  スクリプト
１１４  接続装置
１１６  表示装置
【図１】
2017111146.tif 000003
【図２】
2017111146.tif 000004
【外国語明細書】
2017111146000001.pdf
2017111146000002.pdf
2017111146000003.pdf
2017111146000004.pdf